(57)【要約】      （修正有）【課題】医療現場における業務の省力化と手術器具の安全性の向上を低コストで達成できるようにした手術器具の管理システム及びそれに使用するラベルを提供する。【解決手段】手術器具又は手術器具のグループ毎に識別番号を付与し、識別番号単位で、手術器具の情報及び手術器具のステータスデータを記録する記録手段としてのコンピュータ１（記憶手段２）と、手術器具を収容した袋に貼り付けて使用される識別番号を記載した第１のラベル片及びこの第１のラベル片から切り取り可能に設けられた手術器具のステータスデータを付与するために使用される識別番号を記載した第２のラベル片からなるラベルを出力するラベル出力手段３と、手術器具又は手術器具のグループ毎に付与された識別番号を読み取るためのリーダ手段としてのスキャナ４と、手術器具のステータスデータを表示する表示手段としてのディスプレイ５とを備える。【選択図】図１
2010282250.tif 000002
【特許請求の範囲】
【請求項１】
医療現場において使用される手術器具を管理するための手術器具の管理システムにおいて、手術器具又は手術器具のグループ毎に識別番号を付与し、該識別番号単位で、手術器具の情報及び手術器具のステータスデータを記録する記録手段と、手術器具を収容した袋に貼り付けて使用される識別番号を記載した第１のラベル片及び該第１のラベル片から切り取り可能に設けられた手術器具のステータスデータを付与するために使用される識別番号を記載した第２のラベル片からなるラベルを出力するラベル出力手段と、手術器具又は手術器具のグループ毎に付与された識別番号を読み取るためのリーダ手段と、手術器具のステータスデータを表示する表示手段とを備えてなることを特徴とする手術器具の管理システム。
【請求項２】
手術器具の情報が、手術器具の滅菌方法及び滅菌時の占有容積を含み、該手術器具の情報及び手術器具のステータスデータに基づき、滅菌装置による手術器具の滅菌工程を管理する滅菌工程管理手段を備えてなることを特徴とする請求項１記載の手術器具の管理システム。
【請求項３】
手術器具の情報が、手術器具の滅菌効果の有効期間を含み、該手術器具の情報及び手術器具のステータスデータに基づき、手術器具の滅菌効果の有効期限を管理する滅菌期限管理手段を備えてなることを特徴とする請求項１又は２記載の手術器具の管理システム。
【請求項４】
手術器具のグループを収容する容器に取り付けた容器識別タグを併用するようにしてなることを特徴とする請求項１、２又は３記載の手術器具の管理システム。
【請求項５】
請求項１、２、３又は４に記載の手術器具の管理システムに使用する、ラベル出力手段によって発行されるラベルであって、手術器具を収容した袋に貼り付けて使用される識別番号を記載した第１のラベル片と、該第１のラベル片から切り取り可能に設けられた手術器具のステータスデータを付与するために使用される識別番号を記載した第２のラベル片とからなることを特徴とする手術器具の管理システムに使用するラベル。
【請求項６】
第１のラベル片から切り取り可能に設けられたカルテに貼り付けて使用される識別番号を記載した第３のラベル片を備えてなることを特徴とする請求項５記載の手術器具の管理システムに使用するラベル。
【発明の詳細な説明】
【技術分野】
【０００１】
本発明は、医療現場において使用される各種の手術器具を管理するための手術器具の管理システム及びそれに使用するラベルに関するもので、特に、手術器具毎のステータスデータ等を管理することにより、医療現場における業務の省力化と手術器具の安全性の向上を達成できるようにした手術器具の管理システム及びそれに使用するラベルに関するものである。
【背景技術】
【０００２】
医療現場において使用される手術器具は、通常の手術に加え、救急患者等の手術にも対処できるように、所要の手術器具を取り揃えて準備するようにしている。
【０００３】
ところで、これらの手術器具は、メス、鉗子、ピンセットを始めとして、多種に亘るとともに、手術によって患者の組織や血液に触れた手術器具や滅菌効果の有効期限が経過した手術器具によって二次感染等の医療事故が発生しないように、衛生管理において細心の注意を払う必要があり、このため、手術器具の管理をシステム化しようとした場合、システムが著しく複雑化するという問題があった。
【０００４】
また、手術器具を管理するためには、手術器具毎に識別番号を付与する必要があるが、手術器具に識別番号を直接記録する従来の識別番号の付与方式（例えば、特許文献１及び２参照）は、洗浄処理及び滅菌処理に耐え得るようにする必要があることと相俟って、コスト高になるという問題があった。
【先行技術文献】
【特許文献】
【０００５】
【特許文献１】特開平７−１７８１０７号公報
【特許文献２】特開２００３−１１１７７２号公報
【発明の概要】
【発明が解決しようとする課題】
【０００６】
本発明は、上記従来の手術器具の管理システムの有する問題点に鑑み、医療現場において使用される各種の手術器具に識別番号を直接記録せずに、ラベルを使用する簡易なシステムによって、手術器具毎のステータスデータ等を管理することにより、医療現場における業務の省力化と手術器具の安全性の向上を低コストで達成できるようにした手術器具の管理システム及びそれに使用するラベルを提供することを目的とする。
【課題を解決するための手段】
【０００７】
上記目的を達成するため、本発明の手術器具の管理システムは、医療現場において使用される手術器具を管理するための手術器具の管理システムにおいて、手術器具又は手術器具のグループ毎に識別番号を付与し、該識別番号単位で、手術器具の情報及び手術器具のステータスデータを記録する記録手段と、手術器具を収容した袋に貼り付けて使用される識別番号を記載した第１のラベル片及び該第１のラベル片から切り取り可能に設けられた手術器具のステータスデータを付与するために使用される識別番号を記載した第２のラベル片からなるラベルを出力するラベル出力手段と、手術器具又は手術器具のグループ毎に付与された識別番号を読み取るためのリーダ手段と、手術器具のステータスデータを表示する表示手段とを備えてなることを特徴とする。
【０００８】
この場合において、手術器具の情報が、手術器具の滅菌方法及び滅菌時の占有容積を含み、該手術器具の情報及び手術器具のステータスデータに基づき、滅菌装置による手術器具の滅菌工程を管理する滅菌工程管理手段を備えてなるようにすることができる。
【０００９】
また、手術器具の情報が、手術器具の滅菌効果の有効期間を含み、該手術器具の情報及び手術器具のステータスデータに基づき、手術器具の滅菌効果の有効期限を管理する滅菌期限管理手段を備えてなるようにすることができる。
【００１０】
また、手術器具のグループを収容する容器に取り付けた容器識別タグを併用するようにすることができる。
【００１１】
また、上記の手術器具の管理システムに使用する本発明のラベルは、ラベル出力手段によって発行されるラベルであって、手術器具を収容した袋に貼り付けて使用される識別番号を記載した第１のラベル片と、該第１のラベル片から切り取り可能に設けられた手術器具のステータスデータを付与するために使用される識別番号を記載した第２のラベル片とからなることを特徴とする。
【００１２】
この場合において、第１のラベル片から切り取り可能に設けられたカルテに貼り付けて使用される識別番号を記載した第３のラベル片を備えてなるようにすることができる。
【発明の効果】
【００１３】
本発明の手術器具の管理システムによれば、医療現場において使用される手術器具を管理するための手術器具の管理システムにおいて、手術器具又は手術器具のグループ毎に識別番号を付与し、該識別番号単位で、手術器具の情報及び手術器具のステータスデータを記録する記録手段と、手術器具を収容した袋に貼り付けて使用される識別番号を記載した第１のラベル片及び該第１のラベル片から切り取り可能に設けられた手術器具のステータスデータを付与するために使用される識別番号を記載した第２のラベル片からなるラベルを出力するラベル出力手段と、手術器具又は手術器具のグループ毎に付与された識別番号を読み取るためのリーダ手段と、手術器具のステータスデータを表示する表示手段とを備えてなることにより、医療現場において使用される各種の手術器具に識別番号を直接記録せずに、手術器具を収容した袋に貼り付けて使用される識別番号を記載した第１のラベル片及び該第１のラベル片から切り取り可能に設けられた手術器具のステータスデータを付与するために使用される識別番号を記載した第２のラベル片からなるラベルを使用する簡易なシステムによって、手術器具毎のステータスデータ等を管理することができ、これにより、医療現場における業務の省力化と手術器具の安全性の向上を低コストで達成することができる。
【００１４】
また、手術器具の情報が、手術器具の滅菌方法及び滅菌時の占有容積を含み、該手術器具の情報及び手術器具のステータスデータに基づき、滅菌装置による手術器具の滅菌工程を管理する滅菌工程管理手段を備えてなるようにすることにより、滅菌工程管理手段によって、特定の滅菌装置で処理可能な手術器具及びその量を管理することができ、これにより、手術器具の滅菌処理を円滑かつ確実に行うことができる。
【００１５】
また、手術器具の情報が、手術器具の滅菌効果の有効期間を含み、該手術器具の情報及び手術器具のステータスデータに基づき、手術器具の滅菌効果の有効期限を管理する滅菌期限管理手段を備えてなるようにすることにより、滅菌期限管理手段によって、手術器具の滅菌効果の有効期限を管理することができ、これにより、手術器具の安全性の向上を達成することができる。
【００１６】
また、手術器具のグループを収容する容器に取り付けた容器識別タグを併用するようにすることにより、識別番号を記載した第１のラベル片を容器に貼り付ける代わりに容器識別タグを用いることができ、容器へのラベルの貼り付け及び貼り付けたラベルを剥がす手間を省くことができる。
【００１７】
また、上記の手術器具の管理システムに使用する本発明のラベルは、ラベル出力手段によって発行されるラベルであって、手術器具を収容した袋に貼り付けて使用される識別番号を記載した第１のラベル片と、該第１のラベル片から切り取り可能に設けられた手術器具のステータスデータを付与するために使用される識別番号を記載した第２のラベル片とからなることにより、医療現場において使用される各種の手術器具に識別番号を直接記録せずに、手術器具毎のステータスデータ等を管理することができる。
【００１８】
また、第１のラベル片から切り取り可能に設けられたカルテに貼り付けて使用される識別番号を記載した第３のラベル片を備えてなるようにすることにより、使用した手術器具の記録をカルテに残すことができる。
【図面の簡単な説明】
【００１９】
【図１】本発明の手術器具の管理システムの一実施例を示す説明図である。
【図２】同手術器具の管理システムの使用例を示す説明図である。
【図３】同手術器具の管理システムに使用するラベルの説明図である。
【図４】１つの容器に収容されている手術器具の情報を記載した管理票の一例を示す説明図である。
【発明を実施するための形態】
【００２０】
以下、本発明の手術器具の管理システム及びそれに使用するラベルの実施の形態を、図面に基づいて説明する。
【００２１】
図１〜図４に、本発明の手術器具の管理システムの一実施例を示す。
なお、図中の日付等の数字は、仮のものであって、現実のものではない。
この手術器具の管理システムは、図１〜図２に示すように、医療現場において使用される手術器具を管理するための手術器具の管理システムであって、手術器具又は手術器具のグループ毎に識別番号を付与し、識別番号単位で、手術器具の情報及び手術器具のステータスデータを記録する記録手段としてのコンピュータ１（記憶手段２）と、手術器具を収容した袋に貼り付けて使用される識別番号を記載した第１のラベル片Ｌ１及びこの第１のラベル片Ｌ１から切り取り可能に設けられた手術器具のステータスデータを付与するために使用される識別番号を記載した第２のラベル片Ｌ２からなるラベルＬを出力するラベル出力手段３と、手術器具又は手術器具のグループ毎に付与された識別番号を読み取るためのリーダ手段としてのスキャナ４と、手術器具のステータスデータを表示する表示手段としての（コンピュータ１の）ディスプレイ５とを、主要部として備えている。
【００２２】
この場合において、コンピュータ１のマシントラブルに備えて、補助コンピュータ１’を備えるようにしたり、大規模な医療機関の場合には、ネットワークを介して接続した複数台のコンピュータ１をホストコンピュータ（図示省略）で一元管理するようにすることもできる。
【００２３】
この手術器具の管理システムにおいて管理される手術器具には、手術で使用された後、洗浄処理及び滅菌処理して再使用される、メス、鉗子、ピンセット等の手術器具を始めとして、ワンウェイの手術器具、プレート、ピン、ワイヤー、ボルト等の治療具、消耗品等を含めることができる。
【００２４】
手術器具は、例えば、再使用される手術器具は、洗浄処理後、滅菌処理可能な袋に挿入され、滅菌処理を行うようにされている。
また、その他の手術器具も、袋に挿入されて管理される。
また、特定の手術で使用する複数の手術器具は、１つの容器に収容して管理することもでき、これらの手術器具は、洗浄処理後、滅菌処理可能な容器に収容され、容器ごと滅菌処理を行うようにされている。
【００２５】
手術器具の情報は、手術器具の種類のほか、本実施例においては、手術器具の滅菌方法、滅菌時の占有容積及び滅菌効果の有効期間を含むようにする。
そして、手術器具の情報（滅菌方法及び滅菌時の占有容積）及び手術器具のステータスデータ（手術器具の現在場所、滅菌日（滅菌処理を行う日）等）（並びに特定の滅菌装置の内容積）に基づき、コンピュータ１に備えられた滅菌装置による手術器具の滅菌工程を管理する滅菌工程管理手段によって、特定の滅菌装置で処理可能な手術器具及びその量を管理することができ、これにより、手術器具の滅菌処理を円滑かつ確実に行うことができる。
また、手術器具の情報（滅菌効果の有効期間）及び手術器具のステータスデータ（手術器具の現在場所、滅菌日（滅菌処理を行った日）等）に基づき、コンピュータ１に備えられた手術器具の滅菌効果の有効期限を管理する滅菌期限管理手段によって、手術器具の滅菌効果の有効期限を管理することができ、これにより、手術器具の安全性の向上を達成することができる。
【００２６】
手術器具の滅菌方法は、滅菌処理を行う手術器具によって、適宜選択することができるが、本実施例においては、代表的な滅菌方法である、高圧蒸気殺菌方法（装置）、エチレンオキシドガス(ＥＯＧ)滅菌方法（装置）、過酸化水素低温滅菌方法（装置）を選択して用いることができるようにしている。
この場合、高圧蒸気殺菌装置、エチレンオキシドガス(ＥＯＧ)滅菌装置、過酸化水素低温滅菌装置の情報（台数及び内容積等）をコンピュータ１（記憶手段２）に記録しておき、滅菌工程管理手段による手術器具の滅菌処理の管理に用いることができるようにする。
【００２７】
ラベルＬは、図３に示すように、手術器具を収容した袋に貼り付けて使用される識別番号（本実施例では、識別番号及びその他の手術器具の情報をスキャナ４により読み取ることができるように、バーコード及び数字で表示するようにしている。）を記載した第１のラベル片Ｌ１及びこの第１のラベル片Ｌ１から切取線Ｌａを介して切り取り可能に設けられた手術器具のステータスデータを付与するために使用される識別番号（本実施例では、識別番号及びその他の手術器具の情報をスキャナにより読み取ることができるように、バーコード及び数字で表示するようにしている。）を記載した第２のラベル片Ｌ２に加え、第１のラベル片Ｌ１の中央部に第１のラベル片Ｌ１から切取線Ｌｂを介して切り取り可能に設けられたカルテに貼り付けて使用される識別番号（本実施例では、識別番号及びその他の手術器具の情報を数字で表示するようにしている。）を記載した第３のラベル片Ｌ３を備えるようにし、これにより、使用した手術器具の記録をカルテに残すことができるようにしている。
この場合、第１のラベル片Ｌ１の裏面には、粘着剤層を設け、剥離紙Ｌ０から剥がすことにより、第１のラベル片Ｌ１を手術器具を収容した袋に貼り付けることができるようにする。
また、第２のラベル片Ｌ２の裏面には、粘着剤層を設けないようにする。
また、第３のラベル片Ｌ３の裏面には、粘着剤層を設け、剥離紙Ｌ０から剥がすことにより、第３のラベル片Ｌ３をカルテに貼り付けることができるようにする。
ここで、第３のラベル片Ｌ３の裏面に粘着剤層を介して位置する剥離紙Ｌ０は、第１のラベル片Ｌ１の裏面に粘着剤層を介して位置する剥離紙Ｌ０と共通の１枚のものからなり、当該剥離紙Ｌ０を第３のラベル片Ｌ３よりも若干外側を切取線Ｌｃを介して切り取り可能となるようにしている。これにより、第１のラベル片Ｌ１を剥離紙Ｌ０から剥がしたときに、第１のラベル片Ｌ１の側に、第３のラベル片Ｌ３及び第３のラベル片Ｌ３の裏面に粘着剤層を介して位置する剥離紙Ｌ０の小片が残り、第１のラベル片Ｌ１を手術器具を収容した袋に貼り付けた状態で、第３のラベル片Ｌ３を簡単に剥がしてカルテに貼り付けることができる。
【００２８】
また、特定の手術で使用する複数の手術器具を１つの容器に収容して管理する場合には、手術器具毎に識別番号を付与するのではなく、１つの容器に収容される手術器具のグループ毎に識別番号を付与することができる。
この場合、手術器具のグループを収容する容器に取り付けた容器識別タグＴを併用することもできる。
なお、容器識別タグＴは、それのみでは情報を目視できないため、必要に応じて、容器に、ラベルＬを同梱するようにする。
また、１つの容器に収容されている手術器具の情報は、手術器具の情報として、記憶手段２に記録されており、必要に応じて、管理票出力手段７によって、図４に示すような管理票（セット基材票）を出力し、手術器具の管理に利用することができるようにしている。
容器識別タグＴには、ＲＦＩＤ（ｒａｄｉｏ  ｆｒｅｑｕｅｎｃｙ  ｉｄｅｎｔｉｆｉｃａｔｉｏｎ）タグを好適に用いることができ、手術器具のグループ毎に付与された識別番号を読み取るためのリーダライタ手段として、ＲＦＩＤリーダライタ６を備えるようにする。
これにより、識別番号を記載した第１のラベル片Ｌ１を容器に貼り付ける代わりに容器識別タグＴを用いることができ、容器へのラベルの貼り付け及び貼り付けたラベルを剥がす手間を省くことができる。
【００２９】
次に、この手術器具の管理システムの運用方法を、図２に基づいて説明する。
まず、管理部門において、手術器具の情報（手術器具の種類、手術器具毎（又は滅菌処理可能な容器に収容されている手術器具のグループ毎）の識別番号のほか、本実施例においては、手術器具の滅菌方法、滅菌時の占有容積及び滅菌効果の有効期間等の不変情報）を予め記録手段としてのコンピュータ１（記憶手段２）に記録しておく。
【００３０】
次に、管理部門において、滅菌処理可能な袋に挿入されている手術器具毎（又は滅菌処理可能な容器に収容されている手術器具のグループ毎）に識別番号をコンピュータ１（及び記憶手段２）を用いて呼び出し（初回だけ。次回以降については、後述。）、該識別番号単位で、手術器具のステータスデータを記録する記録手段としてのコンピュータ１（記憶手段２）に記録するとともに、ラベル出力手段３を用いて、手術器具を収容した袋に貼り付けて使用される識別番号を記載した第１のラベル片Ｌ１、この第１のラベル片Ｌ１から切り取り可能に設けられた手術器具のステータスデータを付与するために使用される識別番号を記載した第２のラベル片Ｌ２及び第１のラベル片Ｌ１から切り取り可能に設けられたカルテに貼り付けて使用される識別番号を記載した第３のラベル片Ｌ３からなるラベルＬを出力し、出力したラベルＬを手術器具を収容した袋に貼り付ける（手術器具を収容した容器に、管理票出力手段７を用いて出力した管理票と共に同梱する。）。
【００３１】
手術器具の情報には、手術器具の種類のほか、本実施例においては、手術器具の滅菌方法、滅菌時の占有容積及び滅菌効果の有効期間を含むようにされている。
そして、手術器具の情報（滅菌方法及び滅菌時の占有容積）及び手術器具のステータスデータ（手術器具の現在場所、滅菌日（滅菌処理を行う日）等）（並びに特定の滅菌装置の内容積）に基づき、コンピュータ１に備えられた滅菌装置による手術器具の滅菌工程を管理する滅菌工程管理手段によって、特定の滅菌装置で処理可能な手術器具及びその量を管理しながら、手術器具の滅菌処理を行うようにする。
【００３２】
滅菌処理された手術器具は、必要に応じて、ラベルＬの第２のラベル片Ｌ２（この場合、第２のラベル片Ｌ２は、第１のラベル片Ｌ１から切り離されていないため、第１のラベル片Ｌ１を用いることもできる。）（又は容器識別タグＴ）の識別番号に基づいて、手術器具のステータスデータを付与した後、そのまま集中保管されたり、医療現場に移送される。
【００３３】
これと併せて、手術器具の情報（滅菌効果の有効期間）及び手術器具のステータスデータ（手術器具の現在場所、滅菌日（滅菌処理を行った日）等）に基づき、コンピュータ１に備えられた手術器具の滅菌効果の有効期限を管理する滅菌期限管理手段によって、手術器具の滅菌効果の有効期限を管理するようにする。
手術器具の滅菌効果の有効期限が近づいたり、経過した場合には、例えば、手術器具のステータスデータを表示する表示手段としての（コンピュータ１の）ディスプレイ５に警告を表示するようにし、当該手術器具を回収するようにする。
【００３４】
ここで、この手術器具の管理システムに手術器具の情報及び手術器具のステータスデータとして、記録手段としてのコンピュータ１（記憶手段２）に記録されるデータの一例を表２に示す。
【００３５】
【表１】
2010282250.tif 000003
【００３６】
医療現場に移送され、手術で使用された手術器具のうち、再使用される手術器具は、当該使用済の手術器具（及び容器）と第２のラベル片Ｌ２（又は容器識別タグＴ）が洗浄工程に返送され、洗浄処理後、手術器具は滅菌処理可能な袋に挿入され（又は容器に収容され）、第２のラベル片Ｌ２（又は容器識別タグＴ）とともに、管理部門に移送される。
この場合、必要に応じて、第３のラベル片Ｌ３をカルテに貼り付けるようにする。
また、第１のラベル片Ｌ１は、袋と共に、医療現場で廃棄処分するようにする。
【００３７】
管理部門においては、滅菌処理可能な袋に挿入されている手術器具毎（又は滅菌処理可能な容器に収容されている手術器具のグループ毎）に識別番号を第２のラベル片Ｌ２（又は容器識別タグＴ）を用いて呼び出し、該識別番号単位で、手術器具のステータスデータを記録する記録手段としてのコンピュータ１（記憶手段２）に記録するとともに、ラベル出力手段３を用いて、手術器具を収容した袋に貼り付けて使用される識別番号を記載した第１のラベル片Ｌ１、この第１のラベル片Ｌ１から切り取り可能に設けられた手術器具のステータスデータを付与するために使用される識別番号を記載した第２のラベル片Ｌ２及び第１のラベル片Ｌ１から切り取り可能に設けられたカルテに貼り付けて使用される識別番号を記載した第３のラベル片Ｌ３からなるラベルＬを出力し、出力したラベルＬを手術器具を収容した袋に貼り付ける（手術器具を収容した容器に、管理票出力手段７を用いて出力した管理票と共に同梱する。）。
そして、以下、上記と同様の方法で、手術器具の管理を行うようにする。
【００３８】
また、医療現場に移送され、手術で使用された手術器具のうち、ワンウェイの手術器具、治療具及び消耗品等の再使用されない手術器具は、第２のラベル片Ｌ２のみが、管理部門に返送される。
【００３９】
管理部門においては、第２のラベル片Ｌ２を用いて識別番号を呼び出し、その識別番号に該当する新たな手術器具を用意し、以下、上記と同様の方法で、新たな手術器具の管理を行うようにする。
【００４０】
ここで、この手術器具の管理システムで記録手段としてのコンピュータ１（記憶手段２）に記録された手術器具の情報及び手術器具のステータスデータ等の情報（履歴データの一例を表２に示す。）は、更新されたものを含め、少なくとも所定期間（例えば、医師法第２４条により５年間の保存義務が課されているカルテと同程度の期間）保存するようにすることが望ましい。
【００４１】
【表２】
2010282250.tif 000004
【００４２】
以上、本発明の手術器具の管理システム及びそれに使用するラベルについて、その実施の形態に基づいて説明したが、本発明は上記の構成に限定されるものではなく、その趣旨を逸脱しない範囲において適宜その構成を変更することができるものである。
【産業上の利用可能性】
【００４３】
本発明の手術器具の管理システム及びそれに使用するラベルは、医療現場において使用される各種の手術器具に識別番号を直接記録せずに、ラベルを使用する簡易なシステムによって、手術器具毎のステータスデータ等を管理することにより、医療現場における業務の省力化と手術器具の安全性の向上を低コストで達成できることから、医療現場において使用される各種の手術器具の管理、より具体的には、滅菌工程の管理や滅菌期限の管理の用途に好適に用いることができ、その対象も、中規模及び小規模の医療機関のほか、ネットワークを介して接続した複数台のコンピュータをホストコンピュータで一元管理することにより大規模な医療機関にも対応することができる。
【符号の説明】
【００４４】
１    コンピュータ（記録手段）
２    記憶手段（記録手段）
３    ラベル出力手段
４    スキャナ
５    ディスプレイ（表示手段）
６    ＲＦＩＤリーダライタ
７    管理票出力手段
Ｌ    ラベル
Ｌ０  剥離紙
Ｌ１  第１のラベル片
Ｌ２  第２のラベル片
Ｌ３  第３のラベル片
Ｔ    容器識別タグ（ＲＦＩＤタグ）
【図１】
2010282250.tif 000005
【図２】
2010282250.tif 000006
【図３】
2010282250.tif 000007
【図４】
2010282250.tif 000008